(57)【特許請求の範囲】
【請求項１】
粉末状物質が充填されたフィルム製の詰め替え用のガゼット袋、該ガゼット袋を収容した箱形の容器本体、容器本体の開口部を覆う蓋を備えた箱形容器であって、
ガゼット袋の幅方向の中央部で上下方向に延びたシール部、又はガゼット袋のコーナー部で上下方向に延びたシール部に開封開始部を有し、
ガゼット袋を形成するフィルムが積層フィルムであり、該積層フィルムがガゼット袋の幅方向に引裂性を有する延伸フィルム層を該積層フィルムの外層又は中間層として有し、ガゼット袋の上下方向に配向している延伸フィルム層を該積層フィルムの内側シーラント層として有する箱形容器。
【請求項２】
ガゼット袋を形成する積層フィルムのフィルム厚が40〜200μｍである請求項１記載の箱形容器。
【請求項３】
ガゼット袋の両側部のマチの折れ曲がり部に折り筋が無い請求項１又は２記載の箱形容器。
【請求項４】
ガゼット袋の両側部のマチの折れ曲がり部の一部に折り筋が付いている請求項１又は２記載の箱形容器。
【請求項５】
袋に収容された粉末状物質の嵩密度が７００ｇ／Ｌ以上である請求項１〜４のいずれかに記載の箱型容器。
【請求項６】
箱形の容器本体及び容器本体の開口部を覆う蓋を備えた箱形容器に収容される、粉末状物質が充填されたフィルム製のガゼット袋であって、
ガゼット袋の幅方向の中央部で上下方向に延びたシール部、又はガゼット袋のコーナー部で上下方向に延びたシール部に開封開始部を有し、
ガゼット袋を形成するフィルムが積層フィルムであり、該積層フィルムがガゼット袋の幅方向に引裂性を有する延伸フィルム層を該積層フィルムの外層又は中間層として有し、ガゼット袋の上下方向に配向している延伸フィルム層を該積層フィルムの内側シーラント層として有するガゼット袋。
【発明の詳細な説明】
【技術分野】
【０００１】
本発明は、粉末洗剤等の粉末状物質の容器として好適な箱形容器に関する。
【背景技術】
【０００２】
粉末洗剤等の顆粒ないし粉末の粉末状物質に用いる容器として、板紙、プラスチックシート等の板紙状材料からなる箱形容器が使用されている（特許文献１）。この箱形容器は、内容物の使用後には通常廃棄される。
【０００３】
これに対し、省資源化の点から、内容物を詰替袋に充填し、その袋ごと箱形容器に入れることにより、箱形容器を繰り返し利用することが知られており、詰替袋を厚紙製とし、その詰替袋の開封容易性を高めるため、側面上部に外方へ突出する引剥爪とその引剥爪に対応する部分に引剥用ガイドテープを設け、また、廃棄時にはコンパクトに袋を折り畳めるようにするために袋の底部に折曲げ線を設けることが提案されている（特許文献２）。また、詰替袋を紙製又はプラスチックフィルム製のガゼット袋とし、詰替袋を収容する箱形の容器本体に詰替袋の開口縁部を係止する係止部を設け、詰替袋の開口がつぼまらないようにすることが提案されている（特許文献３）。
【先行技術文献】
【特許文献】
【０００４】
【特許文献１】実開平６−１２２１号公報
【特許文献２】実開平６−３２３６４号公報
【特許文献３】特開２０１０−１４３６３５号公報
【発明の概要】
【発明が解決しようとする課題】
【０００５】
しかしながら、詰替袋として厚紙製のものを使用し、袋体へ折曲げ線の加工をし、開封のための引剥爪や引剥用ガイドテープを設けると、袋の製造コストが高くなる。詰替袋をプラスチックフィルム製とする場合には、縁部にノッチを形成することにより詰替袋を引き裂いて開封できることもあるが、引き裂きラインが安定しない。また、プラスチックフィルムが伸びてしまい、引き裂きをできなくなることもある。これに対し、本発明は、箱形容器内で収容する詰替袋をフィルム製とし、より簡便な構成で確実に詰替袋を開封できるようにすることを目的とする。
【課題を解決するための手段】
【０００６】
本発明者は、容器本体に収容する袋をフィルム製のガゼット袋とする場合に、ガゼット袋を形成するフィルムを特定のフィルム層を有する積層フィルムとすることにより開封時の直進カット性が著しく向上し、かつ袋内に粉末洗剤等の嵩密度の高い粉末状物質を収容するのに十分な強度を得られることを見出した。
【０００７】
即ち、本発明は、粉末状物質が充填されたフィルム製のガゼット袋、該ガゼット袋を収容した箱形の容器本体、容器本体の開口部を覆う蓋を備えた箱形容器であって、
ガゼット袋の幅方向の中央部で上下方向に延びたシール部、又はガゼット袋のコーナー部で上下方向に延びたシール部に開封開始部を有し、
ガゼット袋を形成するフィルムが積層フィルムであり、該積層フィルムがガゼット袋の幅方向に引裂性を有する延伸フィルム層と、ガゼット袋の上下方向に配向している延伸フィルム層を有する箱形容器を提供する。
【発明の効果】
【０００８】
本発明の箱形容器によれば、粉末状物質が充填されたガゼット袋を形成するフィルムが、ガゼット袋の幅方向に引裂性を有する横一軸延伸フィルム層と、ガゼット袋の上下方向に配向している一軸延伸フィルム層が積層した積層フィルムであるため、ガゼット袋は幅方向の引裂性に優れる。したがって、開封開始部から引き裂くことにより容易に袋を開封することができる。また、このガゼット袋は、粉末洗剤等を収容するのに十分なフィルム強度を有する。
【０００９】
また、開封されたガゼット袋の開口面は、ガゼット袋が内容物である粉末状物質によって容器本体へ強く押し付けられることにより、大きく広く開いた状態で維持される。したがって、内容物の取出が容易となる。よって、容器本体内で袋が大きく開口するように、袋を容器本体の内壁に掛止させるための切り込み、穴、押さえ部材などを容器本体に設けることが不要となる。
【図面の簡単な説明】
【００１０】
【図１】図１は、実施例の箱形容器の斜視図である。
【図２】図２は、図１の箱形容器とその中に収容されているガゼット袋の斜視図である。
【図３】図３は、図１の箱形容器に収容されているガゼット袋の斜視図である。
【図４Ａ】図４Ａは、図１の箱形容器の容器本体を開けた状態の斜視図である。
【図４Ｂ】図４Ｂは、図１の箱形容器の袋の開封開始前にガゼット袋を把持した状態の斜視図である。
【図４Ｃ】図４Ｃは、図１の箱形容器のガゼット袋の開封後の斜視図である。
【図５】図５は、本発明で使用できるガゼット袋の異なる例の斜視図である。
【図６】図６は、マチの折り筋の弱さの説明図である。
【発明を実施するための形態】
【００１１】
以下、図面を参照しつつ、本発明を具体的に説明する。なお、各図中、同一符号は同一又は同等の構成要素を表している。
【００１２】
図１は、本発明の一実施例の箱形容器１の斜視図である。この箱形容器１は、図２に示す粉末状物質が充填されたフィルム製のガゼット袋１０Ａを矩形の容器本体３０に収容し、蓋４０で容器本体３０の開口部を閉じたものである。図３は、このガゼット袋１０Ａを横マチ側からみた斜視図である。
【００１３】
このガゼット袋１０Ａは、一般的な横ガゼットの形状をしており、１枚のフィルムシートを、ヒートシール等による縦シールで筒状に成形し、両側部にマチ１１が形成されるようにガイドを当てて筒状体を折り畳み、上端部にトップシール１３を形成し、下端部にボトムシールを形成したものである。これにより、ガゼット袋の幅方向の中央部に上下方向に延びたシール１２が形成されることとなる。なお、ガゼット袋１０Ａに収容される粉末状物質は、ボトムシールの形成とトップシール１３の形成の間に充填される。
【００１４】
マチ１１は、その上下方向の折れ曲がり部に折り筋が無いか、部分的に折り筋がつくように折り筋を弱く形成することが好ましく、より具体的には、マチ１１を形成させるガイド部に強くあてずにトップシール１３やボトムシールを形成し、図６に示すように、ガゼット袋１０Ａのマチ１１を平板５０上に置いた場合に、折り筋１１ａと平板５０との距離Ｌが２ｍｍ以下となることが好ましい。これにより、ガゼット袋１０Ａに700ｇ/Ｌ以上の粉末を入れ、それを箱形の容器本体に入れると、袋が容器本体の内壁に押し広げられやすくなり、後述するようにガゼット袋を開封した後の開口面をすぼまりにくくすることができる。
【００１５】
上下方向のシール１２には、開封開始部としてＶ字型に切り込まれたノッチ１６が設けられている。なお、本発明において、開封開始部としては、Ｉ字型ノッチ、Ｕ字型ノッチ、マジックカット等を形成してもよい。
【００１６】
上下方向のシール１２におけるノッチ１６の形成位置は、図４Ｂに示すように、容器本体３０の開口縁３１に掛けた手でガゼット袋１０Ａの上端部を把持したときに、ガゼット袋１０Ａの底面１８を容器本体３０の底面３２から浮き上がらせる位置となっている。この場合、袋１０Ａの底面１８が、容器本体３０の底面３２から浮き上がる高さＨは、50ｍｍ以下とすることが好ましく、本発明においては浮かさなくともよいが、10ｍｍ以上浮き上がらせることがより好ましい。なお、浮き上がりの有無に関わらず、ガゼット袋１０Ａの開封時には容器本体３０の外側でノッチ１６を引き裂くと、袋１０Ａを直線状に引き裂くことが容易となる。
【００１７】
また、ノッチ１６の形成位置は、開封後のガゼット袋１０Ａの開口面を、容器本体３０の開口面とガゼット袋１０Ａにおける内容物の上面との間にこさせる位置とする。これにより、ガゼット袋１０Ａが内容物によって容器本体３０へ強く押し付けられることにより、ガゼット袋１０Ａの開口面も大きく広く開いた状態で維持され、内容物の取出が容易となる。これに対し、ノッチ１６から開封したガゼット袋１０Ａの開口面が容器本体３０の開口面の高さを超えると、容器本体３０の蓋４０を閉じるときに、ガゼット袋１０Ａの上端部を折り曲げなくてはならないので、ガゼット袋１０Ａの開口面を大きく開いた状態で維持することができない。反対に、ノッチ１６の形成位置が低すぎると、ガゼット袋１０Ａの開封時にノッチ１６を容器本体３０の外側へ出しにくくなり、ガゼット袋１０Ａを直線状に開封することが難しくなる。
【００１８】
なお、内容物を充填したガゼット袋１０Ａを容器本体３０に収容し、ガゼット袋１０Ａの上部を上方に伸ばした状態におけるガゼット袋１０Ａの上端部の位置は、容器本体３０の開口面から10〜50ｍｍ程度上方に突出する位置が好ましい。これにより、ノッチ１６の上下を把持してガゼット袋１０Ａを引き裂くことが容易となる。
【００１９】
また、図２に示すように、ガゼット袋１０Ａには、ノッチ１６を通る袋の幅方向のラインで易カット性を向上させるレーザー加工を施すことが好ましい。同図において、符号２０は、このレーザー加工を施したレーザー加工ラインを表している。
【００２０】
レーザー加工ライン２０を形成するレーザー加工としては、レーザーの照射により、ガゼット袋１０Ａの形成フィルムに傷を付けられる程度とすることが好ましい。
【００２１】
ガゼット袋１０Ａの上端部で開口したときの開口部の周長は、容器本体３０の内寸の周長に対して、略同寸法とすることが好ましい。これにより、図４Ｃに示すように、ガゼット袋１０Ａを開封後、袋１０Ａ内の粉末状物質Ｐが広がろうとすることにより、ガゼット袋１０Ａの周面の略全面が容器本体３０の内壁に押し付けられる。このため、ガゼット袋１０Ａは開口形状が広く安定し、粉末状物質Ｐを計量スプーンで取り出しやすくなる。ここで、同寸法程度とは、袋１０Ａの上端開口部の周長が容器本体３０の内寸の周長に対して過度に短いことにより、袋１０Ａの上端開口部が内側に倒れたり、反対に袋１０Ａの上端開口部の周長が過度に長いことにより袋１０Ａに大きなたるみができたりする場合を含まず、容器本体３０内で袋１０Ａの上端開口部が内側に倒れず、かつ袋１０Ａの上端部にたるみができない程度に袋１０Ａの開口部の周長と容器本体３０の内寸の周長が同程度であることをいう。
【００２２】
この箱形容器１においては、ガゼット袋１０Ａを形成するフィルムが、ガゼット袋１０Ａの幅方向（図２のＸ方向）に引裂性を有する延伸フィルム層と、ガゼット袋の上下方向（図２のＹ方向）に配向している延伸フィルム層を有する積層フィルムであることを主要な特徴としている。
【００２３】
ここで、Ｘ方向に引裂性を有する延伸フィルム層としては、例えば、高密度ポリエチレン(HDPE)の延伸フィルムを使用することができ、この市販品としてはカラリヤンＹ（東洋化学社製）等を使用することができる。また、Ｘ方向に引裂性を有する延伸フィルム層は、ガゼット袋１０Ａを形成する積層フィルムの外層又は中間層として使用することが好ましい。この延伸フィルム層の層厚は15〜50μｍとすることが好ましい。
【００２４】
一方、ガゼット袋の上下方向（図２のＹ方向）を配向方向とする延伸フィルム層は、内側シーラント層として使用することが好ましく、中でもリニア低密度ポリチレン(L-LDPE)に対して易カット加工を施した一軸延伸フィルム層が好ましい。この延伸フィルム層の層厚は15〜50μｍとすることが好ましい。
【００２５】
このようにガゼット袋１０Ａを形成する積層フィルムの一層として、Ｘ方向に引裂性を有する延伸フィルム層を使用することにより、ガゼット袋１０Ａの両側部にはマチ１１が形成されているにもかかわらず、ノッチ１６から容易に直線状に開封することが可能となる。また、ガゼット袋１０Ａを形成する積層フィルムの一層としてＹ方向に配向した延伸フィルム層も使用することにより、ガゼット袋に、例えば、嵩密度が７００ｇ／Ｌ以上の粉末洗剤等を収容して袋に外側に押し広げる作用が働いた場合に、きれいに開口させることができる。
【００２６】
ガゼット袋１０Ａを形成する積層フィルムとしては、さらにポリアミド、ポリオレフィン、ポリエステル系樹脂フィルム層などを積層したものでもよい。その場合、層構成としては、ポリアミド、ポリエステル形樹脂フィルム層とポリオレフィン系樹脂フィルム層の積層の組み合わせとすることが好ましい。
【００２７】
なお、この積層フィルムには、開封後、フィルムの折りぐせにより袋が内側に折れ曲がって開口面積が狭まるという事態を防げる点から、紙層やアルミ箔を含めないことが好ましい。
【００２８】
また、この積層フィルムには、必要に応じて、印刷適正を向上させる層や、シール性を向上させる層を設けても良い。
【００２９】
積層フィルム全体の層厚としては、内容物が無い状態でもガゼット袋１０Ａが自立する程度にフィルムがコシを有するように、好ましくは４０〜２００μｍ、より好ましくは１００〜１５０μｍとする。これにより、ガゼット袋１０Ａを開封後、ガゼット袋１０Ａ内の粉末状物質の使用に伴って粉末状物質が減り、粉末状物質がガゼット袋１０Ａを容器本体３０の内壁に押し付ける位置が下がっても、ガゼット袋１０Ａが開口状態を維持し、粉末状物質の取り出しやすさを保つことができる。
【００３０】
一方、容器本体３０としては、板紙、プラスチックシート等の板紙状材料を用いて形成された直方体型の容器とすることができる。
【００３１】
また、蓋４０は、容器本体３０の上面開口部を覆うものであればよく、例えば、その一縁辺が容器本体３０の背面とヒンジ状に結合したものを使用することができる。
【００３２】
箱形容器１の使用方法としては、図４Ａに示すように、蓋４０を開け、図４Ｂに示すように、袋１０Ａの上部を容器本体３０から引き出し、容器本体３０の開口縁３１に掛けた手でガゼット袋１０Ａの上端部を把持してガゼット袋１０Ａの底面１８が容器本体３０の底面３２から0〜50ｍｍ程度浮きあがるように持ち上げるか、持ち上げずに、ノッチ１６からガゼット袋１０Ａをその幅方向に引き裂く。この引裂により、ガゼット袋１０Ａはその全幅にわたって上端部が除去される。そして、図４Ｃに示すように、容器本体３０内に残ったガゼット袋１０Ａは、ガゼット袋１０Ａ内の粉末状物質Ｐによって容器本体３０の内壁に矢印で示すように押し付けられ、広く開口する。
【００３３】
ガゼット袋１０Ａ内の粉末状物質Ｐの使用により、粉末状物質Ｐが無くなった場合には、粉末状物質Ｐが充填された新たな詰め替え用のガゼット袋１０Ａを用意し、それまでのガゼット袋１０Ａと取り替える。
【００３４】
以上、図１に示した箱形容器１について、本発明の一実施例を説明したが、本発明は、種々の態様をとることができる。例えば、ガゼット袋としては、図５に示すように、ガゼット袋１０Ｂのコーナーの一辺に上下方向に延びたシール１２が形成され、そこに開封開始部を設けたものでもよい。この他、ガゼット袋としては、底部にマチを有する底ガゼットタイプのものも使用することができる。
【００３５】
なお、袋１０Ｂに充填する粉末状物質としては、粉末洗剤、砂糖、塩等の顆粒ないし粉末の粉末状物質をあげることができる。粉末状物質の嵩密度は７００ｇ／Ｌ以上であってもよい。
【産業上の利用可能性】
【００３６】
本発明の箱形容器は、粉末洗剤等の粉末状物質の容器として有用である。
【符号の説明】
【００３７】
１  箱形容器
１０Ａ、１０Ｂ  ガゼット袋
１１  マチ
１１ａ  折り筋
１２  上下方向のシール
１３  トップシール
１６  ノッチ
１８  袋の底面
２０  レーザー加工ライン
３０  容器本体
３１  容器本体の開口縁
３２  容器本体の底面
４０  蓋
５０  平板
Ｈ  袋の底面が容器本体の底面から浮き上がる高さ
Ｌ  折り筋と平板との距離
Ｐ  粉末状物質
Ｘ  引裂方向
Ｙ  配向方向
【図１】
0005810586.tif 000002
【図２】
0005810586.tif 000003
【図３】
0005810586.tif 000004
【図４Ａ】
0005810586.tif 000005
【図４Ｂ】
0005810586.tif 000006
【図４Ｃ】
0005810586.tif 000007
【図５】
0005810586.tif 000008
【図６】
0005810586.tif 000009